(57)【要約】  本発明の実施例は、光ネットワークを検出する方法、装置、デバイス及びシステム、並びに光スプリッタを開示する。この方法は、管理デバイスにより、テストデバイスにより報告された反射ピークパワーを受信するステップであり、反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号であり、光スプリッタは、１つの光出力ポートの端面に配置された反射フィルムを使用することによりテスト光信号を反射するステップと、反射ピークパワーと光スプリッタの予め設定された反射パワーとを比較することにより、光ネットワークを検出するステップとを含む。本発明の実施例によれば、検出者は、光スプリッタが配置された場所にテストデバイスを運び、検出を実行する必要がないため、光ネットワークの検出性能の効率が改善される。
2016524396.tif 000002
【特許請求の範囲】
【請求項１】
光ネットワークを検出する方法であって、
管理デバイスにより、テストデバイスにより報告された反射ピークパワーを受信するステップであり、前記反射ピークパワーは、反射光信号に従って前記テストデバイスにより取得された光スプリッタの反射ピークパワーであり、前記反射光信号は、前記テストデバイスにより送出されて光ケーブルを通じて前記光スプリッタに送信されたテスト光信号を前記光スプリッタにより反射することにより取得された光信号であり、N+1個の光出力ポートが前記光スプリッタに配置され、Nは自然数であり、前記N+1個の光出力ポートのうちN個の光出力ポートは、1:Nの比に従ってN個の分岐光ファイバを通じて受信光信号をN個の光ネットワークユニット（ONU）に送信するように構成され、反射フィルムが前記N個の光出力ポートを除く１つの光出力ポートの端面に配置され、前記テスト光信号は、前記反射フィルムを使用することにより反射されるステップと、
前記反射ピークパワーと前記光スプリッタの予め設定された反射パワーとを比較することにより、前記光ネットワークを検出するステップと
を有する方法。
【請求項２】
前記反射ピークパワーと前記光スプリッタの予め設定された反射パワーとを比較することにより、前記光ネットワークを検出するステップは、
前記予め設定された反射パワーと前記反射ピークパワーとの間の差を計算するステップと、
前記差が第１のパワー閾値未満である場合、前記テストデバイスと前記光スプリッタとの間のファイバリンクが正常であり、前記光スプリッタが正常であると決定するステップ、前記差が第１のパワー閾値と第２のパワー閾値との間である場合、前記テストデバイスと前記光スプリッタとの間のファイバリンクが故障していると決定するステップ、又は前記差が第２のパワー閾値と第３のパワー閾値との間である場合、前記光スプリッタが故障していると決定するステップであり、前記第１のパワー閾値は前記第２のパワー閾値未満であり、前記第２のパワー閾値は前記第３のパワー閾値未満であるステップと
を有する、請求項１に記載の方法。
【請求項３】
前記テストデバイスにより報告された前記反射光信号の受信時間を受信するステップと、
前記受信時間に従って前記光スプリッタと前記テストデバイスとの間の距離を計算するステップと
を更に有する、請求項１又は２に記載の方法。
【請求項４】
サービスのアクティベーション前に事前検出が前記光ネットワークで実行される場合、前記予め設定された反射パワーは、前記光スプリッタの反射パワーの理論値であり、
サービスのアクティベーション後の検出が前記光ネットワークで実行される場合、前記予め設定された反射パワーは、前記サービスの通常動作中の前記光スプリッタの反射パワーである、請求項１ないし３のうちいずれか１項に記載の方法。
【請求項５】
光ネットワークを検出する装置であって、
テストデバイスにより報告された反射ピークパワーを受信するように構成された受信ユニットであり、前記反射ピークパワーは、反射光信号に従って前記テストデバイスにより取得された光スプリッタの反射ピークパワーであり、前記反射光信号は、前記テストデバイスにより送出されて光ケーブルを通じて前記光スプリッタに送信されたテスト光信号を前記光スプリッタにより反射することにより取得された光信号であり、N+1個の光出力ポートが前記光スプリッタに配置され、Nは自然数であり、前記N+1個の光出力ポートのうちN個の光出力ポートは、1:Nの比に従ってN個の分岐光ファイバを通じて受信光信号をN個の光ネットワークユニット（ONU）に送信するように構成され、反射フィルムが前記N個の光出力ポートを除く１つの光出力ポートの端面に配置され、前記テスト光信号は、前記反射フィルムを使用することにより反射される受信ユニットと、
前記受信ユニットにより受信された前記反射ピークパワーと前記光スプリッタの予め設定された反射パワーとを比較することにより、前記光ネットワークを検出するように構成された検出ユニットと
を有する装置。
【請求項６】
前記検出ユニットは、
前記予め設定された反射パワーと前記受信ユニットにより受信された前記反射ピークパワーとの間の差を計算するように構成された差計算サブユニットと、
前記差計算サブユニットにより計算された前記差が第１のパワー閾値未満である場合、前記テストデバイスと前記光スプリッタとの間のファイバリンクが正常であり、前記光スプリッタが正常であると決定し、前記差計算サブユニットにより計算された前記差が第１のパワー閾値と第２のパワー閾値との間である場合、前記テストデバイスと前記光スプリッタとの間のファイバリンクが故障していると決定し、或いは前記差計算サブユニットにより計算された前記差が第２のパワー閾値と第３のパワー閾値との間である場合、前記光スプリッタが故障していると決定するように構成された検出決定サブユニットであり、前記第１のパワー閾値は前記第２のパワー閾値未満であり、前記第２のパワー閾値は前記第３のパワー閾値未満である検出決定サブユニットと
を有する、請求項５に記載の装置。
【請求項７】
前記受信ユニットは、前記テストデバイスにより報告された前記反射光信号の受信時間を受信するように更に構成され、
前記装置は、前記受信ユニットにより受信された前記受信時間に従って前記光スプリッタと前記テストデバイスとの間の距離を計算するように構成された計算ユニットを更に有する、請求項５又は６に記載の管理デバイス。
【請求項８】
光ネットワークを検出するシステムであり、テストデバイスと、管理デバイスと、光スプリッタとを有するシステムであって、
前記テストデバイスは、テスト光信号を送出し、反射光信号を受信し、前記反射光信号は、光ケーブルを通じて前記光スプリッタに送信された前記テスト光信号を前記光スプリッタにより反射することにより取得された光信号であり、前記反射光信号に従って前記光スプリッタの反射ピークパワーを取得し、前記反射ピークパワーを前記管理デバイスに報告するように構成され、
前記光スプリッタは、N個の光出力ポートを使用することにより、1:Nの比に従ってN個の分岐光ファイバを通じて受信光信号をN個の光ネットワークユニット（ONU）に送信し、前記テストデバイスが前記反射光信号を受信するように、前記N個の光出力ポートを除く１つの光出力ポートの端面に配置された反射フィルムを使用することにより、前記テスト光信号を反射するように構成され、Nは自然数であり、
前記管理デバイスは、前記反射ピークパワーと前記光スプリッタの予め設定された反射パワーとを比較することにより、前記光ネットワークを検出するように構成されるシステム。
【請求項９】
前記光スプリッタは、予め設定された反射比に従って前記テスト光信号を反射する光スプリッタである、請求項８に記載のシステム。
【請求項１０】
光入力ポートと、N+1個の光出力ポートとを有する光スプリッタであって、
反射フィルムが前記N+1個の出力ポートのうち１つの出力ポートの端面に配置され、Nは自然数であり、
前記N個の出力ポートは、1:Nの比に従ってN個の分岐光ファイバを通じて前記光入力ポートにより受信された光信号をN個の光ネットワークユニット（ONU）に送信するように構成され、
前記１つの出力ポートは、前記反射フィルムを使用することによりテスト光信号を反射するように構成され、前記テスト光信号は、テストデバイスが受信された反射光信号に従って前記光スプリッタの反射ピークパワーを取得するように、前記テストデバイスにより送出され、前記光入力ポートにより受信される光スプリッタ。
【発明の詳細な説明】
【技術分野】
【０００１】
［関連出願への相互参照］
この出願は、2013年8月30日に“METHOD,  APPARATUS,  DEVICE,  AND  SYSTEM  FOR  DETECTING  OPTICAL  NETWORK,  AND  OPTICAL  SPLITTER”という題で中国特許庁に出願された中国特許出願第201310389084.8号の優先権を主張し、この全内容を援用する。
【０００２】
［技術分野］
本発明は、光通信技術の分野に関し、特に光ネットワークを検出する方法、装置、デバイス及びシステム、並びに光スプリッタに関する。
【背景技術】
【０００３】
ファイバネットワークの規模が増加すると共に、パッシブ光ネットワーク（Passive  Optical  Network、PON）技術が次第に光アクセスネットワーク技術のホットスポットになってきている。PONは、光回線端末（Optical  Line  Terminal、OLT）と、光分岐ネットワーク（Optical  Distribution  Network、ODN）と、光ネットワークユニット（Optical  Network  Unit、ONU）とを含む。光分岐ネットワークの重要な受動素子は、光スプリッタである。光スプリッタは、光信号を分割及び結合することができ、光信号の割り当て、光パスの接続、光信号の送信方向の制御、光素子の間のカップリングの制御等に使用される。光スプリッタは、長期間に高温で高湿度の環境で動作するため、時間と共に次第に性能が劣化し、これは、大きい損失のためリンクが故障するまでリンク損失の増加をもたらす。
【０００４】
PONの通常の動作を確保するために、PONは、通常ではサービスがアクティベーションされる前に検出される必要がある。検出は、光スプリッタの状態の検出と、ファイバリンクの損失状態の検出とを含む。従来技術では、検出者は、通常では光スプリッタが配置された場所にテストデバイスを運び、検出を実行する必要がある。従って、検出効率は低い。
【発明の概要】
【０００５】
本発明の実施例は、従来技術における光ネットワークを検出する低い効率の問題を解決するための、光ネットワークを検出する方法、装置、デバイス及びシステム、並びに光スプリッタを提供する。
【０００６】
前述の技術的問題を解決するために、本発明の実施例では以下の技術的対策が開示される。
【０００７】
第１の態様によれば、光ネットワークを検出する方法が提供され、この方法は、管理デバイスにより、テストデバイスにより報告された反射ピークパワーを受信するステップであり、反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号であり、N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射されるステップと、反射ピークパワーと光スプリッタの予め設定された反射パワーとを比較することにより、光ネットワークを検出するステップとを含む。
【０００８】
第１の態様を参照して、第１の態様の第１の可能な実現方式では、反射ピークパワーと光スプリッタの予め設定された反射パワーとを比較することにより、光ネットワークを検出するステップは、予め設定された反射パワーと反射ピークパワーとの間の差を計算するステップと、差が第１のパワー閾値未満である場合、テストデバイスと光スプリッタとの間のファイバリンクが正常であり、光スプリッタが正常であると決定するステップ、差が第１のパワー閾値と第２のパワー閾値との間である場合、テストデバイスと光スプリッタとの間のファイバリンクが故障していると決定するステップ、又は差が第２のパワー閾値と第３のパワー閾値との間である場合、光スプリッタが故障していると決定するステップであり、第１のパワー閾値は第２のパワー閾値未満であり、第２のパワー閾値は第３のパワー閾値未満であるステップとを含む。
【０００９】
第１の態様又は第１の態様の第１の可能な実現方式を参照して、第１の態様の第２の可能な実現方式では、この方法は、テストデバイスにより報告された反射光信号の受信時間を受信するステップと、受信時間に従って光スプリッタとテストデバイスとの間の距離を計算するステップとを更に含む。
【００１０】
第１の態様、第１の態様の第１の可能な実現方式、又は第１の態様の第２の可能な実現方式を参照して、第１の態様の第３の可能な実現方式では、サービスのアクティベーション前に事前検出が光ネットワークで実行される場合、予め設定された反射パワーは、光スプリッタの反射パワーの理論値であり、サービスのアクティベーション後の検出が光ネットワークで実行される場合、予め設定された反射パワーは、サービスの通常動作中の光スプリッタの反射パワーである。
【００１１】
第２の態様によれば、光ネットワークを検出する装置が提供され、この装置は、テストデバイスにより報告された反射ピークパワーを受信するように構成された受信ユニットであり、反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号であり、N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される受信ユニットと、受信ユニットにより受信された反射ピークパワーと光スプリッタの予め設定された反射パワーとを比較することにより、光ネットワークを検出するように構成された検出ユニットとを含む。
【００１２】
第２の態様を参照して、第２の態様の第１の可能な実現方式では、検出ユニットは、予め設定された反射パワーと受信ユニットにより受信された反射ピークパワーとの間の差を計算するように構成された差計算サブユニットと、差計算サブユニットにより計算された差が第１のパワー閾値未満である場合、テストデバイスと光スプリッタとの間のファイバリンクが正常であり、光スプリッタが正常であると決定し、差計算サブユニットにより計算された差が第１のパワー閾値と第２のパワー閾値との間である場合、テストデバイスと光スプリッタとの間のファイバリンクが故障していると決定し、或いは差計算サブユニットにより計算された差が第２のパワー閾値と第３のパワー閾値との間である場合、光スプリッタが故障していると決定するように構成された検出決定サブユニットであり、第１のパワー閾値は第２のパワー閾値未満であり、第２のパワー閾値は第３のパワー閾値未満である検出決定サブユニットとを含む。
【００１３】
第２の態様又は第２の態様の第１の可能な実現方式を参照して、第２の態様の第２の可能な実現方式では、受信ユニットは、テストデバイスにより報告された反射光信号の受信時間を受信するように更に構成され、この装置は、受信ユニットにより受信された受信時間に従って光スプリッタとテストデバイスとの間の距離を計算するように構成された計算ユニットを更に含む。
【００１４】
第３の態様によれば、光ネットワークを検出するシステムが提供され、このシステムは、テストデバイスと、管理デバイスと、光スプリッタとを含む。テストデバイスは、テスト光信号を送出し、反射光信号を受信し、反射光信号は、光ケーブルを通じて光スプリッタに送信されたテスト光信号を光スプリッタにより反射することにより取得された光信号であり、反射光信号に従って光スプリッタの反射ピークパワーを取得し、反射ピークパワーを管理デバイスに報告するように構成される。光スプリッタは、N個の光出力ポートを使用することにより、1:Nの比に従ってN個の分岐光ファイバを通じて受信光信号をN個の光ネットワークユニット（ONU）に送信し、テストデバイスが反射光信号を受信するように、N個の光出力ポートを除く１つの光出力ポートの端面に配置された反射フィルムを使用することにより、テスト光信号を反射するように構成され、Nは自然数である。管理デバイスは、反射ピークパワーと光スプリッタの予め設定された反射パワーとを比較することにより、光ネットワークを検出するように構成される。
【００１５】
第３の態様を参照して、第３の態様の第１の可能な実現方式では、光スプリッタは、予め設定された反射比に従ってテスト光信号を反射する光スプリッタである。
【００１６】
第４の態様によれば、光スプリッタが提供され、光スプリッタは、光入力ポートと、N+1個の光出力ポートとを含み、反射フィルムがN+1個の出力ポートのうち１つの出力ポートの端面に配置され、Nは自然数であり、N個の出力ポートは、1:Nの比に従ってN個の分岐光ファイバを通じて光入力ポートにより受信された光信号をN個の光ネットワークユニット（ONU）に送信するように構成され、１つの出力ポートは、反射フィルムを使用することによりテスト光信号を反射するように構成され、テスト光信号は、テストデバイスが受信された反射光信号に従って光スプリッタの反射ピークパワーを取得するように、テストデバイスにより送出され、光入力ポートにより受信される。
【００１７】
本発明の実施例では、テストデバイスは、テスト光信号を送出し、反射光信号を受信する。反射光信号は、光ケーブルを通じて光スプリッタに送信されたテスト光信号を光スプリッタにより反射することにより取得された光信号であり、反射フィルムが光スプリッタの１つの出力ポートの端面に配置され、テスト光信号は、反射フィルムを使用することにより反射される。テストデバイスは、反射光信号に従って光スプリッタの反射ピークパワーを取得し、反射ピークパワーを管理デバイスに報告する。管理デバイスは、反射ピークパワーと光スプリッタの予め設定された反射パワーとを比較することにより、光ネットワークを検出する。本発明の実施例では、反射特性を有する光スプリッタが使用されるため、テストデバイスは、光回線端末において、光スプリッタにより反射された受信光信号を使用することにより、光ネットワークにおける光スプリッタの状態とファイバリンクの状態とを検出することができる。検出者は、光スプリッタが配置された場所にテストデバイスを運び、検出を実行する必要がないため、光ネットワークの検出性能の効率が改善される。
【図面の簡単な説明】
【００１８】
本発明の実施例又は従来技術の技術的対策を明確に説明するために、以下に、実施例又は従来技術を説明するために必要な添付図面について簡単に紹介する。明らかに、当業者は、創造的取り組みを行うことなく、依然としてこれらの添付図面から他の図面を導き得る。
【図１Ａ】本発明の実施例による光ネットワークを検出するシステムのアーキテクチャの概略図
【図１Ｂ】本発明による光ネットワークを検出する方法の実施例のフローチャート
【図１Ｃ】本発明による光ネットワークを検出する方法の他の実施例のフローチャート
【図２】本発明による光ネットワークを検出する方法の他の実施例のフローチャート
【図３Ａ】本発明の実施例が適用される光ネットワーク検出アーキテクチャの概略図
【図３Ｂ】本発明の実施例が適用される他の光ネットワーク検出アーキテクチャの概略図
【図４】本発明による光ネットワークを検出する装置の実施例のブロック図
【図５】本発明による光ネットワークを検出する装置の他の実施例のブロック図
【図６】本発明によるテストデバイスの実施例のブロック図
【図７】本発明による光ネットワークを検出する装置の他の実施例のブロック図
【図８】本発明による光ネットワークを検出する装置の他の実施例のブロック図
【図９】本発明による管理デバイスの実施例のブロック図
【発明を実施するための形態】
【００１９】
当業者に対して本発明の実施例の技術的対策をより良く理解させ、本発明の実施例の目的、特徴及び利点を明確にするために、以下に、添付図面を参照して本発明の実施例の技術的対策を更に詳細に説明する。
【００２０】
本発明の実施例は、光ネットワークを検出するシステムを提供する。このシステムは、テストデバイスと、管理デバイスと、光スプリッタとを含む。テストデバイスは、テスト光信号を送出し、反射光信号を受信し、反射光信号は、光ケーブルを通じて光スプリッタに送信されたテスト光信号を光スプリッタにより反射することにより取得された光信号であり、反射光信号に従って光スプリッタの反射ピークパワーを取得し、反射ピークパワーを管理デバイスに報告するように構成される。光スプリッタは、N個の光出力ポートを使用することにより、1:Nの比に従ってN個の分岐光ファイバを通じて受信光信号をN個の光ネットワークユニット（ONU）に送信し、テストデバイスが反射光信号を受信するように、N個の光出力ポートを除く１つの光出力ポートの端面に配置された反射フィルムを使用することにより、テスト光信号を反射するように構成され、Nは自然数である。管理デバイスは、反射ピークパワーと光スプリッタの予め設定された反射パワーとを比較することにより、光ネットワークを検出するように構成される。
【００２１】
図１Ａを参照すると、図１Ａは、本発明の実施例による光ネットワークを検出するシステムのアーキテクチャの概略図である。概略図は、PONシステムを示している。
【００２２】
本発明のこの実施例では、PONは、中央制御局に導入されたOLTと、ユーザ場所に導入された複数のONUとを含み、OLTとONUとを接続するODNは、光ケーブルと光スプリッタとを含む。光スプリッタは受動素子である。本発明のこの実施例の光スプリッタは、光信号をONUに送信するように構成されたN個の光出力ポートを含むだけでなく、受信されたテスト光信号を反射するため、反射フィルムが付けられた１つの光出力ポートも含む。
【００２３】
図１Ａでは、PONにおける光スプリッタの状態と、OLTと光スプリッタとの間のファイバリンクの状態とを検出するために、テストデバイスはOLT側に配置される。テストデバイスは、管理デバイスに接続される。テストデバイスは、テスト光信号を送出し、光ネットワークにおける光スプリッタの状態とファイバリンクの状態との検出を実現するため、光スプリッタにより反射された光信号を受信した後に光スプリッタの反射ピークパワーを管理デバイスに報告してもよい。
【００２４】
図１Ｂを参照すると、図１Ｂは、本発明による光ネットワークを検出する方法の実施例のフローチャートである。この実施例は、テストデバイスの側から記載されている。
【００２５】
ステップ101：テストデバイスは、テスト光信号を送出する。
【００２６】
この実施例では、テストデバイスは、管理デバイスにより送出されたテスト命令を受信した後に、テスト光信号を送出してもよい。管理デバイスは、サービスのアクティベーション前にPONにおける光スプリッタの状態とファイバリンクの状態との事前検出を実行するため、PONサービスがアクティベーションされる前に、テスト命令をテストデバイスに送出してもよい。或いは、管理デバイスは、サービスの動作中に光スプリッタの状態とファイバリンクの状態とのリアルタイム検出を実行するために、PONサービスの動作中にテスト命令をテストデバイスに送出してもよい。
【００２７】
ステップ102：テストデバイスは、反射光信号を受信する。反射光信号は、光ケーブルを通じて光スプリッタに送信されたテスト光信号を光スプリッタにより反射することにより取得された光信号である。
【００２８】
図１Ａを参照すると、テストデバイスがテスト光信号を送出した後に、テスト光信号は、光ケーブルを通じて光スプリッタに送信されることが分かる。この実施例の光スプリッタは、光信号を反射する機能を有する。従って、テスト光信号が光スプリッタに送信された後に、光スプリッタは、テストデバイスに対してテスト光信号を反射してもよい。すなわち、テストデバイスが反射光信号を受信することを可能にする。
【００２９】
従来技術の光スプリッタと比べて、本発明のこの実施例の光スプリッタは、予め設定された反射比に従ってテスト光信号を反射することができる新規な光スプリッタである。新規な光スプリッタは、光入力ポートと、N+1個の光出力ポートとを含む。反射フィルムは、N+1個の光出力ポートのうち１つの光出力ポートの端面に配置され、Nは自然数である。N個の光出力ポートは、1:Nの比に従ってN個の分岐光ファイバを通じて光入力ポートにより受信された光信号をN個の光ネットワークユニット（ONU）に送信するように構成される。１つの出力ポートは、反射フィルムを使用することにより、テスト光信号を反射するように構成される。テスト光信号は、テストデバイスが受信された反射光信号に従って光スプリッタの反射ピークパワーを取得するように、テストデバイスにより送出されて光入力ポートにより受信される。テスト光信号が結合端から新規な光スプリッタに入った後に、テスト光信号は、予め設定された反射比に従って分割端において反射器により反射され、これにより、反射光信号が生成される。
【００３０】
ステップ103：テストデバイスは、反射光信号に従って光スプリッタの反射ピークパワーを取得する。
【００３１】
反射光信号を受信した後に、テストデバイスは、反射光信号の反射光パワーを取得し、光スプリッタの反射ピークパワーを取得するために反射光パワーを測定してもよい。
【００３２】
ステップ104：テストデバイスは、管理デバイスが反射ピークパワーと光スプリッタの予め設定された反射パワーとを比較することにより、光ネットワークを検出するように、反射ピークパワーを管理デバイスに報告する。
【００３３】
前述の実施例から、本発明の実施例では、反射特性を有する光スプリッタが使用され、これにより、テストデバイスは、光回線端末において、光スプリッタにより反射された受信光信号を使用することにより、光ネットワークにおける光スプリッタの状態とファイバリンクの状態とを検出することができることが分かる。検出者は、光スプリッタが配置された場所にテストデバイスを運び、検出を実行する必要がないため、光ネットワークの検出性能の効率が改善される。
【００３４】
図１Ｃを参照すると、図１Ｃは、本発明による光ネットワークを検出する方法の他の実施例のフローチャートである。この実施例は、管理デバイスの側から記載されている。
【００３５】
ステップ111：管理デバイスは、テストデバイスにより報告された反射ピークパワーを受信する。反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号である。
【００３６】
この実施例では、管理デバイスは、テストデバイスがテスト光信号を送出することをトリガーするため、テスト命令をテストデバイスに送出してもよい。管理デバイスは、サービスのアクティベーション前にPONにおける光スプリッタの状態とファイバリンクの状態との事前検出を実行するため、PONサービスがアクティベーションされる前に、テスト命令をテストデバイスに送出してもよい。或いは、管理デバイスは、サービスの動作中に光スプリッタの状態とファイバリンクの状態とのリアルタイム検出を実行するために、PONサービスの動作中にテスト命令をテストデバイスに送出してもよい。
【００３７】
ステップ112：管理デバイスは、反射ピークパワーと光スプリッタの予め設定された反射パワーとを比較することにより、光ネットワークを検出する。
【００３８】
管理デバイスは、予め設定された反射パワーと反射ピークパワーとの間の差を計算してもよく、差が第１のパワー閾値未満である場合、テストデバイスと光スプリッタとの間のファイバリンクが正常であり、光スプリッタが正常であると決定してもよく、差が第１のパワー閾値と第２のパワー閾値との間である場合、テストデバイスと光スプリッタとの間のファイバリンクが故障していると決定してもよく、或いは差が第２のパワー閾値と第３のパワー閾値との間である場合、光スプリッタが故障していると決定してもよい。この実施例では、テストデバイスはOLTの側に配置されるため、テストデバイスと光スプリッタとの間のファイバリンクの検出された状態は、OLTと光スプリッタとの間の光ケーブルのファイバリンクの状態である。第１のパワー閾値は第２のパワー閾値未満であり、第２のパワー閾値は第３のパワー閾値未満である。第１のパワー閾値、第２のパワー閾値及び第３のパワー閾値は、PONにおける異なる種類の光素子と、光リンクの異なる構造とに従って柔軟に設定されてもよく、これらは本発明のこの実施例では限定されない。
【００３９】
この実施例では、サービスのアクティベーション前に事前検出が光ネットワークで実行される場合、予め設定された反射パワーは、光スプリッタの反射パワーの理論値でもよく、サービスのアクティベーション後の検出が光ネットワークで実行される場合、予め設定された反射パワーは、サービスの通常動作中の光スプリッタの反射パワーでもよい。
【００４０】
前述の実施例から、この実施例では、反射特性を有する光スプリッタが使用され、これにより、テストデバイスは、光回線端末において、光スプリッタにより反射された受信光信号を使用することにより、光ネットワークにおける光スプリッタの状態とファイバリンクの状態とを検出することができることが分かる。検出者は、光スプリッタが配置された場所にテストデバイスを運び、検出を実行する必要がないため、光ネットワークの検出性能の効率が改善される。
【００４１】
図２を参照すると、図２は、本発明による光ネットワークを検出する方法の他の実施例を示している。この実施例では、光ネットワークを検出する処理は、管理デバイスとテストデバイスとの間の相互作用の記載を用いて詳細に記載されている。
【００４２】
ステップ201：テストデバイスは、管理デバイスにより送出されたテスト命令を受信する。
【００４３】
この実施例では、管理デバイスは、サービスのアクティベーション前にPONにおける光スプリッタの状態とファイバリンクの状態との事前検出を実行するため、PONサービスがアクティベーションされる前に、テスト命令をテストデバイスに送出してもよい。或いは、管理デバイスは、サービスの動作中に光スプリッタの状態とファイバリンクの状態とのリアルタイム検出を実行するために、PONサービスの動作中にテスト命令をテストデバイスに送出してもよい。
【００４４】
ステップ202：テストデバイスは、テスト光信号を送出する。
【００４５】
管理デバイスにより送出されたテスト命令を受信した後に、テストデバイスは、テスト光信号を送出する。図１Ａを参照すると、テスト光信号は、光ケーブルを通じて光ファイバに送信されることが分かる。
【００４６】
この実施例の光スプリッタは、光入力ポートと、N+1個の光出力ポートとを含む。反射フィルムは、N+1個の光出力ポートのうち１つの光出力ポートの端面に配置され、Nは自然数である。N個の光出力ポートは、1:Nの比に従ってN個の分岐光ファイバを通じて光入力ポートにより受信された光信号をN個の光ネットワークユニット（ONU）に送信するように構成される。１つの出力ポートは、反射フィルムを使用することにより、テスト光信号を反射するように構成される。テスト光信号は、テストデバイスが受信された反射光信号に従って光スプリッタの反射ピークパワーを取得するように、テストデバイスにより送出されて光入力ポートにより受信される。
【００４７】
ステップ203：テストデバイスは、反射光信号を受信する。反射光信号は、光ケーブルを通じて光スプリッタに送信されたテスト光信号を光スプリッタにより反射することにより取得された光信号である。そして、別々にステップ204及びステップ207を実行する。
【００４８】
この実施例では、光スプリッタは、光信号を反射する機能を有する。従って、テストデバイスにより送出されたテスト光信号が光スプリッタに送信された後に、光スプリッタは、テストデバイスに対してテスト光信号を反射してもよい。すなわち、テストデバイスが反射光信号を受信することを可能にする。
【００４９】
従来技術の光スプリッタと比べて、本発明のこの実施例の光スプリッタは、予め設定された反射比に従ってテスト光信号を反射することができる新規な光スプリッタである。テスト光信号が結合端から新規な光スプリッタに入った後に、テスト光信号は、予め設定された反射比に従って分割端において反射器により反射され、これにより、反射光信号が生成される。
【００５０】
ステップ204：テストデバイスは、反射光信号に従って光スプリッタの反射ピークパワーを取得する。
【００５１】
反射光信号を受信した後に、テストデバイスは、反射光信号の反射光パワーを直接取得し、反射光パワーを測定することにより、光スプリッタの反射ピークパワーを取得してもよい。反射光パワーを測定することにより反射ピークパワーを取得する処理は、従来技術のものと同じであり、ここで更に説明しない。
【００５２】
ステップ205：テストデバイスは、反射ピークパワーを管理デバイスに報告する。
【００５３】
ステップ206：管理デバイスは、反射ピークパワーと光スプリッタの予め設定された反射パワーとを比較することにより、光ネットワークを検出する。この処理は終了する。
【００５４】
管理デバイスは、予め設定された反射パワーと反射ピークパワーとの間の差を計算してもよく、差が第１のパワー閾値未満である場合、テストデバイスと光スプリッタとの間のファイバリンクが正常であり、光スプリッタが正常であると決定してもよく、差が第１のパワー閾値と第２のパワー閾値との間である場合、テストデバイスと光スプリッタとの間のファイバリンクが故障していると決定してもよく、或いは差が第２のパワー閾値と第３のパワー閾値との間である場合、光スプリッタが故障していると決定してもよい。この実施例では、テストデバイスはOLTの側に配置されるため、テストデバイスと光スプリッタとの間のファイバリンクの検出された状態は、OLTと光スプリッタとの間の光ケーブルのファイバリンクの状態である。第１のパワー閾値は第２のパワー閾値未満であり、第２のパワー閾値は第３のパワー閾値未満である。第１のパワー閾値、第２のパワー閾値及び第３のパワー閾値は、PONにおける異なる種類の光素子と、光リンクの異なる構造とに従って柔軟に設定されてもよく、これらは本発明のこの実施例では限定されない。
【００５５】
ステップ207：テストデバイスは、反射光信号の受信時間を記録する。
【００５６】
ステップ208：テストデバイスは、受信時間を管理デバイスに報告する。
【００５７】
ステップ209：管理デバイスは、受信時間に従って光スプリッタとテストデバイスとの間の距離を計算する。この処理は終了する。
【００５８】
この実施例では、テストデバイスは、反射光信号を受信した後に、記録された受信時間を管理デバイスに報告し、管理デバイスは、光の速度と時間との積に従って光スプリッタとテストデバイスとの間の距離を計算するため、受信時間に従って、テストデバイスによるテスト光信号の送出から反射光信号の受信までの時間を計算してもよい。PON検出の一部として、管理デバイスは、計算により取得された光スプリッタとテストデバイスとの間の距離に従って、光スプリッタの地理的設定状況を取得してもよい。
【００５９】
前述の実施例から、本発明の実施例では、反射特性を有する光スプリッタが使用され、これにより、テストデバイスは、光回線端末において、光スプリッタにより反射された受信光信号を使用することにより、光ネットワークにおける光スプリッタの状態とファイバリンクの状態とを検出することができることが分かる。検出者は、光スプリッタが配置された場所にテストデバイスを運び、検出を実行する必要がないため、光ネットワークの検出性能の効率が改善される。
【００６０】
図３Ａを参照すると、図３Ａは、本発明の実施例が適用される光ネットワーク検出アーキテクチャの概略図である。
【００６１】
図３Ａでは、管理デバイスは、OLT及びテストデバイスに接続される。テストデバイスは、波長分割多重（Wavelength  Division  Multiplexing、WDM）デバイスを使用することにより、OLTと光スプリッタとの間のトランク光ケーブルに接続される。図３Ａに示すPONアーキテクチャは、１レベルの光分割アーキテクチャである。すなわち、１つのみの光スプリッタがOLTとONUとの間に配置される。通常では、光ケーブルのコストを低減し、小さい数のネットワークノードによるメンテナンスを容易にするため、１レベルの光分割アーキテクチャは、ユーザが集中する面に適用される。
【００６２】
図３Ａを参照すると、現在の段階がPONサービスのアクティベーション前の事前検出であり、第１レベルの光スプリッタの分割比が1:N、例えば、1:32であり、光スプリッタの反射パワーの理論値がxdBであることを仮定する。光スプリッタの反射パワーの理論値は、光スプリッタの状態に関係し、光スプリッタの状態が劣化した場合、理論値が減少してもよく、これは本発明の実施例で限定されない点に留意すべきである。反射フィルムの層は、第１レベルの光スプリッタの出力端における反射ポートに取り付けられる。これは、受信テスト光信号を反射するために使用される。
【００６３】
管理デバイスにより送出されたテスト命令を受信した後に、テストデバイスは、テスト光信号を送出する。テスト光信号の波長は、1625nm（ナノメートル）又は1650nmでもよい。光ケーブルを通じて第１レベルの光スプリッタに送信された後に、テスト光信号は、第１レベルの光スプリッタの反射ポートの反射フィルムにより反射され、相応して、テストデバイスは、反射された光信号を受信する。テストデバイスは、第１レベルの光スプリッタの反射ピークパワーx’dBを取得するために反射光信号を測定してもよい。テストデバイスは、反射ピークパワーx’dBを管理デバイスに報告する。管理デバイスは、xとx’との差を計算し、差が第１のパワー閾値W1未満である場合、第１レベルの光スプリッタが正常であり、OLTと第１レベルの光スプリッタとの間のファイバリンクが正常であると決定する。差が第１のパワー閾値W1と第２のパワー閾値W2との間である場合、OLTと第１レベルの光スプリッタとの間のファイバリンクが故障していると決定する。或いは、差が第２のパワー閾値W2と第３のパワー閾値W3との間である場合、第１レベルの光スプリッタが故障していると決定する。W1はW2未満であり、W2はW3未満であり、W1、W2及びW3は、PONにおける異なる種類の光素子と、光リンクの異なる構造とに従って柔軟に設定されてもよく、これらは本発明のこの実施例では限定されない
図３Ｂを参照すると、図３Ｂは、本発明の実施例が適用される他の光ネットワーク検出アーキテクチャの概略図である。
【００６４】
図３Ｂでは、管理デバイスは、OLT及びテストデバイスに接続される。テストデバイスは、WDMデバイスを使用することにより、OLTと光スプリッタとの間のトランク光ケーブルに接続される。図３Ｂに示すPONアーキテクチャは、２レベルの光分割アーキテクチャである。すなわち、第１レベルの光スプリッタ及び第２レベルの光スプリッタである２つの光スプリッタがOLTとONUとの間に配置される。通常では、２レベルの光分割アーキテクチャは、ユーザがまばらに分散している場所に適用され、薄いカバレッジの方式がリソースを節約するために使用される。
【００６５】
図３Ｂを参照すると、現在の段階がPONサービスのアクティベーション後のリアルタイム検出であり、第１レベルの光スプリッタの分割比が1:M、例えば、1:4であり、第２レベルの光スプリッタの分割比が1:M’、例えば、1:16であることを仮定する。サービスの通常動作中に、第１レベルの光スプリッタの取得された反射パワーがy1であり、第２レベルの光スプリッタの取得された反射パワーがy2であることを仮定する。反射フィルムの層は、第１レベルの光スプリッタ及び第２レベルの光スプリッタのそれぞれの出力端における反射ポートに取り付けられる。これは、受信テスト光信号を反射するために使用される。
【００６６】
管理デバイスにより送出されたテスト命令を受信した後に、テストデバイスは、テスト光信号を送出する。テスト光信号の波長は、1520nmでもよい。テスト光信号は、光ケーブルを通じて第１レベルの光スプリッタに送信され、次に、第１レベルの光スプリッタから第２レベルの光スプリッタに送信される。第１レベルの光スプリッタに送信されたテスト光信号は、まず、第１レベルの光スプリッタの反射ポートの反射フィルムによりテストデバイスに反射して戻され、これにより、テストデバイスは、第１の反射光信号を受信する。次に、第２レベルの光スプリッタに送信されたテスト光信号は、第２レベルの光スプリッタの反射ポートの反射フィルムによりテストデバイスに反射して戻され、これにより、テストデバイスは、第２の反射光信号を受信する。テストデバイスは、第１レベルの光スプリッタの反射ピークパワーy1’を取得するために第１の反射光信号をテストし、第２レベルの光スプリッタの反射ピークパワーy2’を取得するために第２の反射光信号をテストしてもよい。テストデバイスは、第１レベルの光スプリッタの反射ピークパワーy1’と、第２レベルの光スプリッタの反射ピークパワーy2’とを管理デバイスに報告する。管理デバイスは、y1とy1’との差を計算し、差に従って、OLTと第１レベルの光スプリッタとの間のファイバリンクの状態と、第１レベルの光スプリッタの状態とを検出する。具体的な検出処理は、図３Ａに示すxとx’との差に従って、OLTと第１レベルの光スプリッタとの間のファイバリンクの状態と、第１レベルの光スプリッタの状態とを検出する前述の処理と同じであり、ここでは繰り返さない。同様に、管理デバイスは、y2とy2’との差を計算し、差に従って、OLTと第２レベルの光スプリッタとの間のファイバリンクの状態と、第２レベルの光スプリッタの状態とを検出する。OLTと第１レベルの光スプリッタとの間のファイバリンクが正常であるが、OLTと第２レベルの光スプリッタとの間のファイバリンクが故障していることが検出された場合、第１レベルの光スプリッタと第２レベルの光スプリッタとの間のファイバリンクが故障していると更に決定されてもよい。
【００６７】
本発明は、光ネットワークを検出する装置、テストデバイス及び管理デバイスの実施例を更に提供し、これは、本発明の光ネットワークを検出する方法の実施例に対応する。
【００６８】
図４を参照すると、図４は、本発明による光ネットワークを検出する装置の実施例のブロック図である。この装置は、テストデバイスに配置されてもよい。
【００６９】
この装置は、送出ユニット410と、受信ユニット420と、取得ユニット430と、報告ユニット440とを含む。送出ユニット410は、テスト光信号を送出するように構成される。受信ユニット420は、反射光信号を受信するように構成される。反射光信号は、送出ユニット410により送出されて光ケーブルを通じて光スプリッタに送信されたテスト光信号を光スプリッタにより反射することにより取得された光信号である。N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される。取得ユニット430は、受信ユニット420により受信された反射光信号に従って光スプリッタの反射ピークパワーを取得するように構成される。報告ユニット440は、管理デバイスが反射ピークパワーと光スプリッタの予め設定された反射パワーとを比較することにより、光ネットワークを検出するように、取得ユニット430により取得された反射ピークパワーを管理デバイスに報告するように構成される。
【００７０】
任意選択で、取得ユニット430は、反射光信号の反射光パワーを取得するように構成された反射光パワー取得サブユニットと、光スプリッタの反射ピークパワーを取得するために、反射光パワー取得サブユニットにより取得された反射光パワーを測定するように構成された反射ピークパワー測定サブユニットとを含んでもよい（図４に図示せず）。
【００７１】
図５を参照すると、図５は、本発明による光ネットワークを検出する装置の他の実施例のブロック図である。この装置は、テストデバイスに配置されてもよい。
【００７２】
この装置は、送出ユニット510と、受信ユニット520と、記録ユニット530と、取得ユニット540と、報告ユニット550とを含む。送出ユニット510は、テスト光信号を送出するように構成される。受信ユニット520は、反射光信号を受信するように構成される。反射光信号は、送出ユニット510により送出されて光ケーブルを通じて光スプリッタに送信されたテスト光信号を光スプリッタにより反射することにより取得された光信号である。N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される。記録ユニット530は、受信ユニット520により受信された反射光信号の受信時間を記録するように構成される。取得ユニット540は、受信ユニット520により受信された反射光信号に従って光スプリッタの反射ピークパワーを取得するように構成される。報告ユニット550は、管理デバイスが受信時間に従って光スプリッタとテストデバイスとの間の距離を計算するように、記録ユニット530により記録された受信時間を管理デバイスに報告し、管理デバイスが反射ピークパワーと光スプリッタの予め設定された反射パワーとを比較することにより、光ネットワークを検出するように、取得ユニット540により取得された反射ピークパワーを管理デバイスに報告するように構成される。
【００７３】
任意選択で、取得ユニット540は、反射光信号の反射光パワーを取得するように構成された反射光パワー取得サブユニットと、光スプリッタの反射ピークパワーを取得するために、反射光パワー取得サブユニットにより取得された反射光パワーを測定するように構成された反射ピークパワー測定サブユニットとを含んでもよい（図５に図示せず）。
【００７４】
図６を参照すると、図６は、本発明の実施例によるテストデバイスの実施例のブロック図である。
【００７５】
テストデバイスは、ネットワークインタフェース610と、光インタフェース620と、プロセッサ630とを含む。光インタフェース620は、テスト光信号を送出し、反射光信号を受信するように構成される。反射光信号は、光ケーブルを通じて光スプリッタに送信されたテスト光信号を光スプリッタにより反射することにより取得された光信号である。N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される。プロセッサ630は、反射光信号に従って光スプリッタの反射ピークパワーを取得し、管理デバイスが反射ピークパワーと光スプリッタの予め設定された反射パワーとを比較することにより、光ネットワークを検出するように、ネットワークインタフェース610を通じて反射ピークパワーを管理デバイスに報告するように構成される。
【００７６】
任意選択で、プロセッサ630は、反射光信号の反射光パワーを取得し、光スプリッタの反射ピークパワーを取得するために、反射光パワーを測定するように具体的に構成されてもよい。
【００７７】
任意選択で、プロセッサ630は、反射光信号の受信時間を記録し、管理デバイスが受信時間に従って光スプリッタとテストデバイスとの間の距離を計算するように、ネットワークインタフェースを通じて受信時間を管理デバイスに報告するように更に構成されてもよい。
【００７８】
図７を参照すると、図７は、本発明による光ネットワークを検出する装置の他の実施例のブロック図である。この装置は、管理デバイスに配置されてもよい。
【００７９】
この装置は、受信ユニット710と、検出ユニット720とを含む。受信ユニット710は、テストデバイスにより報告された反射ピークパワーを受信するように構成される。反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号であり、N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される。検出ユニット720は、受信ユニット710により受信された反射ピークパワーと光スプリッタの予め設定された反射パワーとを比較することにより、光ネットワークを検出するように構成される。
【００８０】
任意選択で、検出ユニット720は、予め設定された反射パワーと受信ユニットにより受信された反射ピークパワーとの間の差を計算するように構成された差計算サブユニットと、差計算サブユニットにより計算された差が第１のパワー閾値未満である場合、テストデバイスと光スプリッタとの間のファイバリンクが正常であり、光スプリッタが正常であると決定し、差計算サブユニットにより計算された差が第１のパワー閾値と第２のパワー閾値との間である場合、テストデバイスと光スプリッタとの間のファイバリンクが故障していると決定し、或いは差計算サブユニットにより計算された差が第２のパワー閾値と第３のパワー閾値との間である場合、光スプリッタが故障していると決定するように構成された検出決定サブユニットとを含んでもよい（図７に図示せず）。
【００８１】
図８を参照すると、図８は、本発明による光ネットワークを検出する装置の他の実施例のブロック図である。この装置は、管理デバイスに配置されてもよい。
【００８２】
この装置は、受信ユニット810と、計算ユニット820と、検出ユニット830とを含む。受信ユニット810は、テストデバイスにより報告された反射ピークパワーを受信するように構成される。反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号である。受信ユニット810は、テストデバイスにより報告された反射光信号の受信時間を受信するように構成される。N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される。計算ユニット820は、受信ユニット810により受信された受信時間に従って光スプリッタとテストデバイスとの間の距離を計算するように構成される。検出ユニット830は、受信ユニット810により受信された反射ピークパワーと光スプリッタの予め設定された反射パワーとを比較することにより、光ネットワークを検出するように構成される。
【００８３】
任意選択で、検出ユニット830は、予め設定された反射パワーと受信ユニットにより受信された反射ピークパワーとの間の差を計算するように構成された差計算サブユニットと、差計算サブユニットにより計算された差が第１のパワー閾値未満である場合、テストデバイスと光スプリッタとの間のファイバリンクが正常であり、光スプリッタが正常であると決定し、差計算サブユニットにより計算された差が第１のパワー閾値と第２のパワー閾値との間である場合、テストデバイスと光スプリッタとの間のファイバリンクが故障していると決定し、或いは差計算サブユニットにより計算された差が第２のパワー閾値と第３のパワー閾値との間である場合、光スプリッタが故障していると決定するように構成された検出決定サブユニットとを含んでもよい（図８に図示せず）。
【００８４】
図９を参照すると、図９は、本発明による管理デバイスの実施例のブロック図である。
【００８５】
管理デバイスは、ネットワークインタフェース910と、プロセッサ920とを含む。ネットワークインタフェース910は、テストデバイスにより報告された反射ピークパワーを受信するように構成される。反射ピークパワーは、反射光信号に従ってテストデバイスにより取得された光スプリッタの反射ピークパワーであり、反射光信号は、テストデバイスにより送出されて光ケーブルを通じて光スプリッタに送信されたテスト光信号を光スプリッタにより反射することにより取得された光信号であり、N+1個の光出力ポートが光スプリッタに配置され、Nは自然数であり、N+1個の光出力ポートのうちN個の光出力ポートは、1:Nの比に従ってN個の分岐光ファイバを通じて受信光信号をN個の光ネットワークユニット（ONU）に送信するように構成され、反射フィルムがN個の光出力ポートを除く１つの光出力ポートの端面に配置され、テスト光信号は、反射フィルムを使用することにより反射される。プロセッサ920は、反射ピークパワーと光スプリッタの予め設定された反射パワーとを比較することにより、光ネットワークを検出するように構成される。
【００８６】
任意選択で、プロセッサ920は、予め設定された反射パワーと受信ユニットにより受信された反射ピークパワーとの間の差を計算し、差が第１のパワー閾値未満である場合、テストデバイスと光スプリッタとの間のファイバリンクが正常であり、光スプリッタが正常であると決定し、差が第１のパワー閾値と第２のパワー閾値との間である場合、テストデバイスと光スプリッタとの間のファイバリンクが故障していると決定し、或いは差が第２のパワー閾値と第３のパワー閾値との間である場合、光スプリッタが故障していると決定するように具体的に構成されてもよい。第１のパワー閾値は第２のパワー閾値未満であり、第２のパワー閾値は第３のパワー閾値未満である。
【００８７】
任意選択で、ネットワークインタフェース910は、テストデバイスにより報告された反射光信号の受信時間を受信するように更に構成されてもよく、プロセッサ920は、受信時間に従って光スプリッタとテストデバイスとの間の距離を計算するように更に構成されてもよい。
【００８８】
前述の実施例から、テストデバイスは、テスト光信号を送出し、反射光信号を受信することが分かる。反射光信号は、光ケーブルを通じて光スプリッタに送信されたテスト光信号を光スプリッタにより反射することにより取得された光信号であり、反射フィルムが光スプリッタの１つの出力ポートの端面に配置され、テスト光信号は、反射フィルムを使用することにより反射される。テストデバイスは、反射光信号に従って光スプリッタの反射ピークパワーを取得し、反射ピークパワーを管理デバイスに報告する。管理デバイスは、反射ピークパワーと光スプリッタの予め設定された反射パワーとを比較することにより、光ネットワークを検出する。本発明の実施例では、反射特性を有する光スプリッタが使用されるため、テストデバイスは、光回線端末において、光スプリッタにより反射された受信光信号を使用することにより、光ネットワークにおける光スプリッタの状態とファイバリンクの状態とを検出することができる。検出者は、光スプリッタが配置された場所にテストデバイスを運び、検出を実行する必要がないため、光ネットワークの検出性能の効率が改善される。
【００８９】
当業者は、本発明の実施例の技術が必要な汎用ハードウェアプラットフォームに加えてソフトウェアにより実現されてもよいことを、明確に理解し得る。このような理解に基づいて、基本的に本発明の技術的対策又は従来技術に寄与する部分は、ソフトウェアプロダクトの形式で実現されてもよい。ソフトウェアプロダクトは、ROM／RAM、磁気ディスク、光ディスクのような記憶媒体に格納され、コンピュータデバイス（パーソナルコンピュータ、サーバ又はネットワークデバイスでもよい）に対して本発明の実施例又は実施例のいくつかの部分に記載の方法を実行するように命令する複数の命令を含む。
【００９０】
この明細書の実施例は、全て累進的に記載されており、実施例の同じ部分又は同様の部分について、これらの実施例に参照が行われてもよい。各実施例は、他の実施例との差に焦点を当てている。特に、システムの実施例は基本的に方法の実施例と同様であるため、簡単に記載されている。関係する部分について、方法の実施例の部分的な説明に参照が行われてもよい。
【００９１】
前述の説明は本発明の単に具体的な方式であり、本発明の保護範囲を限定することを意図するものではない。本発明の要旨及び原理を逸脱することなく行われる如何なる変更、等価置換及び改良も、本発明の保護範囲内に入るものとする。
【図１Ａ】
2016524396.tif 000003
【図１Ｂ】
2016524396.tif 000004
【図１Ｃ】
2016524396.tif 000005
【図２】
2016524396.tif 000006
【図３Ａ】
2016524396.tif 000007
【図３Ｂ】
2016524396.tif 000008
【図４】
2016524396.tif 000009
【図５】
2016524396.tif 000010
【図６】
2016524396.tif 000011
【図７】
2016524396.tif 000012
【図８】
2016524396.tif 000013
【図９】
2016524396.tif 000014
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
光ネットワークを検出する方法であって、
管理デバイスにより、テストデバイスにより報告された反射ピークパワーを受信するステップであり、前記反射ピークパワーは、反射光信号に従って前記テストデバイスにより取得された光スプリッタの反射ピークパワーであり、前記反射光信号は、前記テストデバイスにより送出されて光ケーブルを通じて前記光スプリッタに送信されたテスト光信号を前記光スプリッタにより反射することにより取得された光信号であり、N+1個の光出力ポートが前記光スプリッタに配置され、Nは自然数であり、前記N+1個の光出力ポートのうちN個の光出力ポートは、1:Nの比に従ってN個の分岐光ファイバを通じて受信光信号をN個の光ネットワークユニット（ONU）に送信するように構成され、反射フィルムが前記N個の光出力ポートを除く１つの光出力ポートの端面に配置され、前記テスト光信号は、前記反射フィルムを使用することにより反射されるステップと、
前記反射ピークパワーと前記光スプリッタの予め設定された反射パワーとを比較することにより、前記光ネットワークを検出するステップと
を有する方法。
【請求項２】
前記反射ピークパワーと前記光スプリッタの予め設定された反射パワーとを比較することにより、前記光ネットワークを検出するステップは、
前記予め設定された反射パワーと前記反射ピークパワーとの間の差を計算するステップと、
前記差が第１のパワー閾値未満である場合、前記テストデバイスと前記光スプリッタとの間のファイバリンクが正常であり、前記光スプリッタが正常であると決定するステップ、前記差が第１のパワー閾値と第２のパワー閾値との間である場合、前記テストデバイスと前記光スプリッタとの間のファイバリンクが故障していると決定するステップ、又は前記差が第２のパワー閾値と第３のパワー閾値との間である場合、前記光スプリッタが故障していると決定するステップであり、前記第１のパワー閾値は前記第２のパワー閾値未満であり、前記第２のパワー閾値は前記第３のパワー閾値未満であるステップと
を有する、請求項１に記載の方法。
【請求項３】
前記テストデバイスにより報告された前記反射光信号の受信時間を受信するステップと、
前記受信時間に従って前記光スプリッタと前記テストデバイスとの間の距離を計算するステップと
を更に有する、請求項１又は２に記載の方法。
【請求項４】
サービスのアクティベーション前に事前検出が前記光ネットワークで実行される場合、前記予め設定された反射パワーは、前記光スプリッタの反射パワーの理論値であり、
サービスのアクティベーション後の検出が前記光ネットワークで実行される場合、前記予め設定された反射パワーは、前記サービスの通常動作中の前記光スプリッタの反射パワーである、請求項１ないし３のうちいずれか１項に記載の方法。
【請求項５】
光ネットワークを検出する装置であって、
テストデバイスにより報告された反射ピークパワーを受信するように構成された受信ユニットであり、前記反射ピークパワーは、反射光信号に従って前記テストデバイスにより取得された光スプリッタの反射ピークパワーであり、前記反射光信号は、前記テストデバイスにより送出されて光ケーブルを通じて前記光スプリッタに送信されたテスト光信号を前記光スプリッタにより反射することにより取得された光信号であり、N+1個の光出力ポートが前記光スプリッタに配置され、Nは自然数であり、前記N+1個の光出力ポートのうちN個の光出力ポートは、1:Nの比に従ってN個の分岐光ファイバを通じて受信光信号をN個の光ネットワークユニット（ONU）に送信するように構成され、反射フィルムが前記N個の光出力ポートを除く１つの光出力ポートの端面に配置され、前記テスト光信号は、前記反射フィルムを使用することにより反射される受信ユニットと、
前記受信ユニットにより受信された前記反射ピークパワーと前記光スプリッタの予め設定された反射パワーとを比較することにより、前記光ネットワークを検出するように構成された検出ユニットと
を有する装置。
【請求項６】
前記検出ユニットは、
前記予め設定された反射パワーと前記受信ユニットにより受信された前記反射ピークパワーとの間の差を計算するように構成された差計算サブユニットと、
前記差計算サブユニットにより計算された前記差が第１のパワー閾値未満である場合、前記テストデバイスと前記光スプリッタとの間のファイバリンクが正常であり、前記光スプリッタが正常であると決定し、前記差計算サブユニットにより計算された前記差が第１のパワー閾値と第２のパワー閾値との間である場合、前記テストデバイスと前記光スプリッタとの間のファイバリンクが故障していると決定し、或いは前記差計算サブユニットにより計算された前記差が第２のパワー閾値と第３のパワー閾値との間である場合、前記光スプリッタが故障していると決定するように構成された検出決定サブユニットであり、前記第１のパワー閾値は前記第２のパワー閾値未満であり、前記第２のパワー閾値は前記第３のパワー閾値未満である検出決定サブユニットと
を有する、請求項５に記載の装置。
【請求項７】
前記受信ユニットは、前記テストデバイスにより報告された前記反射光信号の受信時間を受信するように更に構成され、
前記装置は、前記受信ユニットにより受信された前記受信時間に従って前記光スプリッタと前記テストデバイスとの間の距離を計算するように構成された計算ユニットを更に有する、請求項５又は６に記載の装置。
【請求項８】
光ネットワークを検出するシステムであり、テストデバイスと、管理デバイスと、光スプリッタとを有するシステムであって、
前記テストデバイスは、テスト光信号を送出し、反射光信号を受信し、前記反射光信号は、光ケーブルを通じて前記光スプリッタに送信された前記テスト光信号を前記光スプリッタにより反射することにより取得された光信号であり、前記反射光信号に従って前記光スプリッタの反射ピークパワーを取得し、前記反射ピークパワーを前記管理デバイスに報告するように構成され、
前記光スプリッタは、N個の光出力ポートを使用することにより、1:Nの比に従ってN個の分岐光ファイバを通じて受信光信号をN個の光ネットワークユニット（ONU）に送信し、前記テストデバイスが前記反射光信号を受信するように、前記N個の光出力ポートを除く１つの光出力ポートの端面に配置された反射フィルムを使用することにより、前記テスト光信号を反射するように構成され、Nは自然数であり、
前記管理デバイスは、前記反射ピークパワーと前記光スプリッタの予め設定された反射パワーとを比較することにより、前記光ネットワークを検出するように構成されるシステム。
【請求項９】
前記光スプリッタは、予め設定された反射比に従って前記テスト光信号を反射する光スプリッタである、請求項８に記載のシステム。
【請求項１０】
光入力ポートと、N+1個の光出力ポートとを有する光スプリッタであって、
反射フィルムが前記N+1個の出力ポートのうち１つの出力ポートの端面に配置され、Nは自然数であり、
前記N個の出力ポートは、1:Nの比に従ってN個の分岐光ファイバを通じて前記光入力ポートにより受信された光信号をN個の光ネットワークユニット（ONU）に送信するように構成され、
前記１つの出力ポートは、前記反射フィルムを使用することによりテスト光信号を反射するように構成され、前記テスト光信号は、テストデバイスが受信された反射光信号に従って前記光スプリッタの反射ピークパワーを取得するように、前記テストデバイスにより送出され、前記光入力ポートにより受信される光スプリッタ。
【請求項１１】
コンピュータに請求項１ないし４のうちいずれか１項に記載の方法を実行させるプログラムを記録したコンピュータ読み取り可能記憶媒体。
【国際調査報告】
2016524396.tif 000015
2016524396.tif 000016
2016524396.tif 000017
2016524396.tif 000018